(57)【特許請求の範囲】
【請求項１】
上部に開口部を有する皿状の容器本体と、前記容器本体の開口部に嵌着される蓋体とを備えた蚊取り線香容器において、少なくとも蓋体及び容器本体の蓋体との嵌着部に、フッ素樹脂コーティングを施すとともに、蚊取り線香支持部のネットをロックウールやガラスウール等の無機不燃材料から構成し、該ネットを、表面をサテン処理した金属製の内筒に接着剤により接着したことを特徴とする蚊取り線香容器。
【請求項２】
前記容器本体の底部と該容器本体内に設けられたネット等からなる蚊取り線香支持部との間に、不燃材料で成型した断熱部材を配設したことを特徴とする請求項１記載の蚊取り線香容器。
【発明の詳細な説明】
【０００１】
【発明の属する技術分野】
本発明は、火をつけた状態の蚊取り線香を収容する蚊取り線香用容器に関し、特に、蓋体及び容器本体の蓋体との嵌着部へのヤニの固着やヤニに伴う錆の発生を防止し、蓋体の着脱を常に容易にして快適に使用することができる蚊取り線香容器に関するものである。
【０００２】
【従来の技術】
火をつけた状態の蚊取り線香を収容する蚊取り線香用容器は従来から周知であり、例えば、上部に開口部を有する皿状の金属製の容器本体と、該容器本体内に設けられたネット等からなる蚊取り線香支持部と、前記容器本体の開口部に嵌着される金属製の蓋体とを備えている。
【０００３】
そして、この蚊取り線香用容器を使用する際には、火をつけた蚊取り線香を蚊取り線香支持部に載置した後、容器本体に蓋体を嵌着して開口部を閉止する。これにより、蚊取り線香から発生する煙は、蚊取り線香の上方に設置された蓋体の排煙孔等を介して外部に拡散する。
【０００４】
【発明が解決しようとする課題】
ところで、上記従来の蚊取り線香用容器では、蚊取り線香から発生した煙が、排煙孔から出るまでに、蚊取り線香容器内にある程度充満することから、煙によるヤニが容器内部に付着し、特に、容器本体と蓋体の嵌着部に溜まったヤニが固まったり、ヤニに伴って錆が発生した場合に、蓋体の着脱が困難になって蚊取り線香容器が使用できなくなるという事態が発生していた。
【０００５】
本発明は、上記従来の蚊取り線香容器が有する問題点に鑑み、蓋体及び容器本体の蓋体との嵌着部へのヤニの固着やヤニに伴う錆の発生を防止し、蓋体の着脱を常に容易にして快適に使用することができる蚊取り線香容器を提供することを目的とする。
【０００６】
【課題を解決するための手段】
上記目的を達成するため、本発明の蚊取り線香容器は、上部に開口部を有する皿状の容器本体と、前記容器本体の開口部に嵌着される蓋体とを備えた蚊取り線香容器において、少なくとも蓋体及び容器本体の蓋体との嵌着部に、フッ素樹脂コーティングを施すとともに、蚊取り線香支持部のネットをロックウールやガラスウール等の無機不燃材料から構成し、該ネットを、表面をサテン処理した金属製の内筒に接着剤により接着したことを特徴とする。
【０００７】
この蚊取り線香容器は、少なくとも蓋体及び容器本体の蓋体との嵌着部に、フッ素樹脂コーティングを施したことから、蚊取り線香の煙によるヤニが付着した場合でも容易に拭き取ることが可能であり、これにより、蓋体及び容器本体の蓋体との嵌着部へのヤニの固着やヤニに伴う錆の発生を防止することができる。
【０００８】
特に、蚊取り線香支持部のネットをロックウールやガラスウール等の無機不燃材料から構成し、該ネットを、表面をサテン処理した金属製の内筒に接着剤により接着することにより、蚊取り線香の立ち消えが起こりにくいロックウールやガラスウール等の無機不燃材料からなるネットを、金属製の内筒に強固に接着することができるとともに、金属製の内筒へのヤニの固着やヤニに伴う錆の発生を防止することができる。
【０００９】
この場合において、前記容器本体の底部と該容器本体内に設けられたネット等からなる蚊取り線香支持部との間に、不燃材料で成型した断熱部材を配設することができる。
【００１０】
これにより、蚊取り線香と容器本体底部との間で断熱を行い、蚊取り線香容器の発熱を好適に防止することができる。
【００１１】
【発明の実施の形態】
以下、本発明の蚊取り線香容器の実施の形態を図面に基づいて説明する。
【００１２】
図１〜図２に、本発明の蚊取り線香容器の一実施例を示す。
【００１３】
この蚊取り線香容器は、上部に開口部を有する皿状の容器本体１と、該容器本体１内に設けられた蚊取り線香支持部２と、前記容器本体１の開口部に嵌着される蓋体３とを備え、火をつけた状態の蚊取り線香（図示省略）を収容するようになっている。
【００１４】
そして、本実施例の蚊取り線香容器では、容器本体１と蓋体３の嵌着部を含め、容器本体１及び蓋体３のそれぞれの全体、さらに必要に応じて、後述する内筒２１に、フッ素樹脂コーティングを施すようにしている。
【００１５】
容器本体１は、金属製で、収容すべき蚊取り線香の外形より大きな内径を有する筒状部からなる側壁１１と、この側壁１１に連続する底部１２とを有している。
また、容器本体１の側壁１１には、ベルト等に取り付けられるスナップ１５がスプリットリング１４を介して取り付けられている。
【００１６】
蚊取り線香支持部２は、容器本体１に内挿される金属製の内筒２１と、該内筒２１のフランジ部２４に固定された不燃材料からなるネット２２とからなり、内筒２１は、その上端に形成した巻締部２３が容器本体１の上端に形成した巻締部１３の上に掛止される。
【００１７】
この場合、蚊取り線香支持部２のネット２２を、ロックウールやガラスウール等の無機不燃材料から構成するとともに、このネット２２を、表面をサテン処理した金属製の内筒２１のフランジ部２４に、適宜の接着剤により接着することができる。
これにより、蚊取り線香の立ち消えが起こりにくいロックウールやガラスウール等の無機不燃材料からなるネット２２を、金属製の内筒２１のフランジ部２４に強固に接着することができるとともに、金属製の内筒２１へのヤニの固着やヤニに伴う錆の発生を防止することができる。
なお、内筒２１の表面をサテン処理する場合には、内筒２１へのフッ素樹脂コーティングを省略することができる。
【００１８】
この内筒２１のフランジ部２４と容器本体１の底部１２との間には、所定高さの空間部が形成されており、この空間部には、ロックウールやガラスウール等の不燃材料で成型した断熱部材４が配設されている。
この断熱部材４は、周縁部４１を空間部と同じ高さに形成するとともに、蚊取り線香を収容できるように、中央部４２をやや低く形成した皿状を呈している。
この場合、蚊取り線香を収容するためにやや低く形成した断熱部材４の中央部４２の直径を、蚊取り線香支持部２を構成する不燃材料からなるネット２２を固定する内筒２１のフランジ部２４の孔の内径よりも小さく形成することにより、着火した蚊取り線香が内筒２１のフランジ部２４に接触して蚊取り線香が立ち消えすることを防止するようにしている。
また、容器本体１の上端に形成した巻締部１３によって、容器本体１の側壁１１と内筒２１の間に空間（空気層）を形成するようにして断熱を行い、蚊取り線香容器の発熱を防止できるようにしている。
【００１９】
蓋体３は、金属製で、容器本体１の側壁１１の外径より若干大きい内径を有する筒状部からなる側壁３１と、この側壁３１に連続する上壁３２とを有し、容器本体１の側壁１１に摺接する状態で外嵌されている。
この蓋体３の上壁３２には、蚊取り線香から発生する煙を拡散するの排煙孔３３が形成されている。
なお、蓋体３は、容器本体１の内側に挿着されるようにすることも可能である。
【００２０】
また、この容器本体１、蓋体３及び内筒２１にコーティングされるフッ素樹脂としては、ポリテトラフルオロエチレンや、テトラフルオロエチレン・ヘキサフルオロプロピレン共重合体、フッ化ビニル樹脂等を使用することができる。
【００２１】
かくして、本実施例の蚊取り線香容器は、容器本体１及び蓋体３のそれぞれの全体、さらに必要に応じて、後述する内筒２１、特に、蓋体３及び容器本体１の蓋体３との嵌着部にフッ素樹脂コーティングを施したことから、蚊取り線香の煙によるヤニが付着した場合でも容易に拭き取ることが可能であり、これにより、容器本体１と蓋体３の嵌着部へのヤニの固着やヤニに伴う錆の発生を防止し、蓋体３の着脱を常に容易にして、蚊取り線香容器を快適に使用することができる。
【００２２】
また、前記容器本体１の底部と蚊取り線香支持部２を構成する不燃材料からなるネット２２の間に、不燃材料で成型した断熱部材４を配設することにより、断熱部材４のやや低く形成した中央部４２に収容し、蚊取り線香支持部２を構成する不燃材料からなるネット２２により挟持することにより支持した蚊取り線香と容器本体１の底部１２との間で断熱を行い、蚊取り線香容器の発熱を好適に防止しながら、蚊取り線香の立ち消えを防止することができる。
【００２３】
また、蚊取り線香支持部２のネット２２を、ロックウールやガラスウール等の無機不燃材料から構成するとともに、このネット２２を、表面をサテン処理した金属製の内筒２１のフランジ部２４に、適宜の接着剤により接着することにより、蚊取り線香の立ち消えが起こりにくいロックウールやガラスウール等の無機不燃材料からなるネット２２を、金属製の内筒２１のフランジ部２４に強固に接着することができるとともに、金属製の内筒２１へのヤニの固着やヤニに伴う錆の発生を防止することができる。
【００２４】
以上、本発明の実施例を携帯用の蚊取り線香容器を例に説明したが、本発明の構成は屋内用の蚊取り線香容器にも適用できるなど、本発明は、実施例の記載に限定されるものではなく、その趣旨を逸脱しない範囲で適宜に変更することが可能である。
【００２５】
【発明の効果】
本発明の蚊取り線香容器によれば、少なくとも蓋体及び容器本体の蓋体との嵌着部に、フッ素樹脂コーティングを施したことから、蚊取り線香の煙によるヤニが付着した場合でも容易に拭き取ることが可能であり、これにより、蓋体及び容器本体の蓋体との嵌着部へのヤニの固着やヤニに伴う錆の発生を防止し、蓋体の着脱を常に容易にして、蚊取り線香容器を長期間に亘って快適に使用することができる。
特に、蚊取り線香支持部のネットをロックウールやガラスウール等の無機不燃材料から構成し、該ネットを、表面をサテン処理した金属製の内筒に接着剤により接着することにより、蚊取り線香の立ち消えが起こりにくいロックウールやガラスウール等の無機不燃材料からなるネットを、金属製の内筒に強固に接着することができるとともに、金属製の内筒へのヤニの固着やヤニに伴う錆の発生を防止することができる。
【００２６】
また、前記容器本体の底部と蚊取り線香支持部の間に、不燃材料で成型した断熱部材を配設することにより、蚊取り線香と容器本体底部との間で断熱を行い、蚊取り線香容器の発熱を好適に防止することができる。
【図面の簡単な説明】
【図１】  本発明の蚊取り線香容器の一実施例を示す分解斜視図である。
【図２】  同縦断面図である。
【符号の説明】
１    容器本体
１１  側壁
１２  底部
１３  巻締部
１４  スプリットリング
１５  スナップ
２    蚊取り線香支持部
２１  内筒
２２  ネット
２３  巻締部
２４  フランジ部
３    蓋体
３１  側壁
３２  上壁
３３  排煙孔
４    断熱部材
４１  周縁部
４２  中央部
【図１】
0003983062.tif 000002
【図２】
0003983062.tif 000003